(57)【要約】【課題】センサ部及び装置本体部の装着安定性に優れ、また装着ストレスを被験者に可及的に与えないようにする。【解決手段】パルスオキシメータ１は、被測定指から光電脈波データを測定するための発光部４１及び受光部４２からなるセンサ部４と、センサ部４の動作制御、測定信号処理を行う装置本体部２とを備える。そして、指先への固定部３として、被測定指と係合する第１の固定部３１と、被測定指以外の他の指と係合する第２の固定部３２とを備え、これら固定部は共通の上部クリップ片３３及び下部クリップ片３４で一体化されている。かかるパルスオキシメータ１によれば、２本の指を用いて装着されるので、１本の指に対する挟み込み力を軽減でき、またセンサ部４と被測定指との位置関係が安定する。【選択図】図１
2007167184.tif 000002
【特許請求の範囲】
【請求項１】
人体の指から所定の生体情報に関連するパラメータを測定するためのセンサ部と、前記センサ部の動作制御を行うと共にセンサ部から出力される測定信号に対して所定の処理を行う制御処理手段を有する装置本体部とを備える生体情報測定装置であって、
被測定指と係合する第１の固定部と、前記被測定指以外の他の指と係合する第２の固定部とを備え、これら第１の固定部及び第２の固定部が互いに連結されてなり、
前記センサ部は、前記第１の固定部に組み付けられ、前記第１の固定部の前記被測定指への係合により前記被測定指へ位置決め装着され、
前記装置本体部は、前記第２の固定部及び／又は第１の固定部に搭載され、前記第２の固定部及び／又は第１の固定部の前記他の指及び／又は被測定指への係合により、前記他の指及び／又は被測定指へ装着されるよう構成されていることを特徴とする生体情報測定装置。
【請求項２】
前記第１の固定部及び第２の固定部が、指先と係合するものであることを特徴とする請求項１に記載の生体情報測定装置。
【請求項３】
前記第１の固定部及び第２の固定部が、閉止方向に付勢されたクリップからなることを特徴とする請求項１又は２に記載の生体情報測定装置。
【請求項４】
前記第１の固定部が、被測定指となる所定の第１の指と係合するものであり、
前記第２の固定部が、前記第２の指に隣接する第２の指と係合するものであることを特徴とする請求項１〜３のいずれかに記載の生体情報測定装置。
【請求項５】
前記第１の固定部及び第２の固定部が一体化され、これら第１の固定部及び第２の固定部に跨る搭載面が形成され、該搭載面に前記装置本体部が搭載されていることを特徴とする請求項４に記載の生体情報測定装置。
【請求項６】
前記第１の固定部及び第２の固定部の連結部が、脱着自在な連結部とされていることを特徴とする請求項４に記載の生体情報測定装置。
【請求項７】
前記脱着自在な連結部が、前記第１の固定部に組み付けられた前記センサ部と前記第２の固定部に搭載された前記装置本体部とを電気的に接続する電気コネクタを兼ねていることを特徴とする請求項６に記載の生体情報測定装置。
【請求項８】
前記第１の固定部及び第２の固定部が、前記第１の固定部に組み付けられた前記センサ部と前記第２の固定部に搭載された前記装置本体部とを電気的に接続する短尺ケーブルで連結されていることを特徴とする請求項４に記載の生体情報測定装置。
【請求項９】
前記生体情報に関連するパラメータが、生体の脈波に関連するパラメータであって、
前記センサ部は、所定波長の光を発する発光部と、該発光部から発せられ生体を経由した光を受光可能とされた受光部とを含むことを特徴とする請求項１〜８のいずれかに記載の生体情報測定装置。
【請求項１０】
前記装置本体部には、前記制御処理手段に加え、測定データを記憶可能なメモリ部と、測定に関連する所定の情報を表示する表示部とが含まれていることを特徴とする請求項１〜９のいずれかに記載の生体情報測定装置。
【発明の詳細な説明】
【技術分野】
【０００１】
本発明は、人体の指から各種の生体情報を非侵襲で検出する生体情報測定装置に関するものである。
【背景技術】
【０００２】
従来、脈拍や血中酸素飽和度等の生体情報を計測するために、人体の指に対して測定光を投受光するプローブ（センサ部）を備えた光電脈波計やパルスオキシメータが知られている。パルスオキシメータ（例えば下記特許文献１参照）は、専ら睡眠時無呼吸症候群（ＳＡＳ）の診断を目的として、異なる２波長の光を発する発光部と受光部とを備えるプローブを被験者の指に装着して光を生体（指）に向けて投光し、生体を経由した光の光量変化を検出して得られた２波長脈波波形に基づき、血中酸素飽和度（ＳｐＯ２）の時間変化を求めるものである。一方、光電脈波計では、所定波長（１波長で足りる）の光を発する発光部と受光部とを備えるプローブが用いられ、脈拍数の計測のほか、例えば脈波のピーク間隔を解析することで不整脈の検出等を行うことができる。
【０００３】
ところで、上記発光部と受光部とを備えるプローブは、通常一本の指先に取り付けられる。これは、指先には動脈血管が集中しており、動脈血の脈動、すなわち光電脈波を検出し易いからである。またプローブは、クリップ構造等を備え、指先にクリッピングするだけで、所定の位置に発光部及び受光部を対向配置させた状態で指先に装着できるようになっている。図１５に従来のプローブＰの一例を示す。ここでは、被測定指Ｆの指先背部側にフィットする背部片Ｐｂと指先腹部側にフィットする腹部片ＰｉとがヒンジＰｈで結合され、前記背部片Ｐｂと腹部片Ｐｉとの間が閉じる方向に付勢されたクリップ構造の例を示している。
【０００４】
ここで、発光部及び受光部の配置については、従来は透過測定用の配置又は反射測定用の配置のいずれかが採用されている。図１６は、この２つの配置タイプを示すものである。図１６（ａ）は、透過測定を行う場合の発光部９１及び受光部９２の配置を模式的に示す側面図である。この場合、被測定指Ｆの指先背部Ｆｂ側（爪Ｆｎ側）に発光部９１が、指先腹部Ｆｉ側に受光部９２がそれぞれ配置され、発光部９１から発せられた測定光ｏｐが指先の生体組織を透過して受光部９２に受光されるものである。かかる配置を図１５に示すプローブＰに当てはめると、背部片Ｐｂに発光部９１が、腹部片Ｐｉに受光部９２がそれぞれ保持されることとなる。
【０００５】
一方、図１６（ｂ）は、反射測定を行う場合の発光部９１及び受光部９２の配置を模式的に示す側面図である。この場合、被測定指Ｆの指先腹部Ｆｉ側に発光部９１と受光部９２とが並列配置され、発光部９１から発せられ指先の生体組織中で反射された測定光ｏｐが受光部９２に受光されるものである。かかる配置を図１５に示すプローブＰに当てはめると、腹部片Ｐｉに発光部９１及び受光部９２が保持されることとなる。
【０００６】
また、プローブから出力される測定信号に対して所定の処理を行う回路部等を有する装置本体部の配置箇所は様々である。例えば、従来のパルスオキシメータでは、装置本体部を腕に装着する所謂腕時計型、指先へ装着されるプローブと一体化された指先一体型、さらに指の根元部分に装着されるプローブと一体化された指輪型等が知られている。
【特許文献１】特開平１−１５３１３９号公報
【発明の開示】
【発明が解決しようとする課題】
【０００７】
しかしながら、従来のパルスオキシメータでは、プローブ及び装置本体部の装着性において種々の改善を要する点があった。すなわち、図１５に示すように、プローブＰを１本の被測定指Ｆに装着する方法では、プローブＰと被測定指Ｆとの位置関係を保証（プローブＰ内での被測定指Ｆの回転、位置ズレ、指抜け等の防止）するために、プローブＰへ被測定指Ｆを深く挿入させるプローブ形状にしたり、或いは強い挟み込み圧力でクリッピングさせたりする必要がある。このため、被験者が被測定指Ｆを自由に曲げられないストレスを感じたり、或いは長時間プローブＰを指先に装着することで被験者が圧迫による痛みを訴えたりすることがあった。
【０００８】
一方、装置本体部の配置箇所について、前記腕時計型のものは、腕に装着される装置本体部と指先のプローブとの間を比較的長いケーブルで電気的に接続する必要があることから、前記ケーブルの蒲団への引っ掛かり等に起因するプローブ外れが生じる懸念がある。また前記指先一体型では、１本の被測定指Ｆに装着された比較的小さいプローブＰに対して比較的大きい装置本体部を搭載することになるので、プローブＰと被測定指Ｆとの位置関係の保証が一層困難になるという問題がある。さらに、前記指輪型では、装着性については優れているものの、測定部位が被測定指Ｆの指先ではなく根元となることから、脈動が小さくＳ／Ｎ比が良好な光電脈波の測定が行えないという根本的な問題があった。
【０００９】
本発明は上記のような事情に鑑みてなされたものであって、プローブ（センサ部）及び装置本体部の装着安定性に優れ、また装着ストレスを被験者に可及的に与えないような生体情報測定装置を提供することを目的とする。
【課題を解決するための手段】
【００１０】
本発明の請求項１に係る生体情報測定装置は、人体の指から所定の生体情報に関連するパラメータを測定するためのセンサ部と、前記センサ部の動作制御を行うと共にセンサ部から出力される測定信号に対して所定の処理を行う制御処理手段を有する装置本体部とを備える生体情報測定装置であって、被測定指と係合する第１の固定部と、前記被測定指以外の他の指と係合する第２の固定部とを備え、これら第１の固定部及び第２の固定部が互いに連結されてなり、前記センサ部は、前記第１の固定部に組み付けられ、前記第１の固定部の前記被測定指への係合により前記被測定指へ位置決め装着され、前記装置本体部は、前記第２の固定部及び／又は第１の固定部に搭載され、前記第２の固定部及び／又は第１の固定部の前記他の指及び／又は被測定指への係合により、前記他の指及び／又は被測定指へ装着されるよう構成されていることを特徴とする。
【００１１】
この構成によれば、被測定指だけでなく、被測定指以外の他の指を利用してセンサ部及び装置本体部が被験者の指へ装着されるようになる。すなわち、センサ部は、第１の固定部の被測定指への係合により被測定指に対して位置決め装着されるのであるが、前記第１の固定部に対して第２の固定部が連結されていることから、指への係止力は前記被測定指と前記他の指とで分担させることができる。従って、被測定指に挟み込み圧力が集中しなくなり、圧迫感を軽減することができる。また、２本以上の指を利用して装着されることから、被測定指が第１の固定部内で回転しにくくなりセンサ部と被測定指との位置関係が安定する。
【００１２】
また、装置本体部は、第２の固定部及び／又は第１の固定部に搭載されることから、これら固定部を指に装着することで、センサ部と同時に被験者への装着が完了することになる。従って、装着作業を簡素化でき、従来の腕時計型のようにセンサ部と装置本体部とを接続するための長いケーブルの使用を省くことができる。ここで、本発明におけるセンサ部及び装置本体部の搭載態様について念のため列挙しておくと、次の（ａ）〜（ｃ）の３態様となる。
（ａ）第１の固定部にセンサ部が組み付けられ、第２の固定部に装置本体部が搭載される態様。
（ｂ）第１の固定部にセンサ部が組み付けられ、第１の固定部及び第２の固定部に跨って装置本体部が搭載される態様。
（ｃ）第１の固定部にセンサ部が組み付けられ、また装置本体部も搭載される態様。この場合、第２の固定部は単に他の指との係合用として機能する。
【００１３】
上記構成において、前記第１の固定部及び第２の固定部が、指先と係合するものであることが望ましい（請求項２）。この構成によれば、当該生体情報測定装置は被験者の指先に装着されるようになる。この場合、本発明では複数の指を利用して生体情報測定装置を装着することから、従来のように一本の指に対して装着する場合に比べ、指一本あたりに負担される保持力は比較的軽いもので足りる。従って、比較的浅い装着深度で取り付けを行い得ることから、被測定指を曲げる自由度が大きい状態で、生体情報測定装置を被験者に装着することが可能となる。
【００１４】
上記いずれかの構成において、前記第１の固定部及び第２の固定部が、閉止方向に付勢されたクリップからなることが望ましい（請求項３）。この構成によれば、前記第１の固定部及び第２の固定部を簡単なクリッピング動作により、被験者の指先等に装着することができるようになる。
【００１５】
また、上記いずれかの構成において、前記第１の固定部が、被測定指となる所定の第１の指と係合するものであり、前記第２の固定部が、前記第２の指に隣接する第２の指と係合するものであることが望ましい（請求項４）。この構成によれば、例えば人差し指と中指というように、隣接する二本の指を利用して生体情報測定装置が装着され、そのうちのいずれか一本の指が被測定指とされる。
【００１６】
この場合、前記第１の固定部及び第２の固定部が一体化され、これら第１の固定部及び第２の固定部に跨る搭載面が形成され、該搭載面に前記装置本体部が搭載される構成とすることができる（請求項５）。この構成によれば、第１の固定部及び第２の固定部に跨る比較的広い搭載面に装置本体部を搭載できるようになる。
【００１７】
また、前記第１の固定部及び第２の固定部の連結部が、脱着自在な連結部とされている構成とすることができる（請求項６）。この構成によれば、第１の固定部及び第２の固定部を必要に応じて脱着することができ、生体情報測定装置の取り扱い自由度が向上する。
【００１８】
この場合、前記脱着自在な連結部が、前記第１の固定部に組み付けられた前記センサ部と前記第２の固定部に搭載された前記装置本体部とを電気的に接続する電気コネクタを兼ねていることが望ましい（請求項７）。この構成によれば、第１の固定部と第２の固定部とを連結することで、センサ部と装置本体部とが電気的に接続される。従って、両者を電気的に接続するケーブル類が不要となる。
【００１９】
さらに、前記第１の固定部及び第２の固定部が、前記第１の固定部に組み付けられた前記センサ部と前記第２の固定部に搭載された前記装置本体部とを電気的に接続する短尺ケーブルで連結されている構成とすることができる（請求項８）。この構成によれば、第１の固定部と第２の固定部との連結構造が、センサ部と装置本体部とを電気的に接続するための短尺ケーブルで代用される。
【００２０】
上記いずれかの構成において、前記生体情報に関連するパラメータが、生体の脈波に関連するパラメータであって、前記センサ部は、所定波長の光を発する発光部と、該発光部から発せられ生体を経由した光を受光可能とされた受光部とを含むことが望ましい（請求項９）。この構成によれば、当該生体情報測定装置を光電脈波装置として構成することができ、例えば脈拍等を計測する光電脈波計、或いは血中酸素飽和度を計測するパルスオキシメータ等として利用することができる。
【００２１】
また、上記いずれかの構成において、前記装置本体部には、前記制御処理手段に加え、測定データを記憶可能なメモリ部と、測定に関連する所定の情報を表示する表示部とが含まれていることが望ましい（請求項１０）。この構成によれば、メモリ部に記憶させた測定データを事後的にパーソナルコンピュータ等にて高度解析させることが可能となり、また表示部に制御処理手段で為された処理結果等を表示させることが可能となり、装置本体部の機能性を高めることができる。
【発明の効果】
【００２２】
請求項１に係る発明によれば、第１の固定部及び第２の固定部により複数の指を利用して生体情報測定装置が装着され、センサ部と被測定指との位置関係が安定するので、結果として正確に生態情報関連パラメータを測定できるようになる。また、複数の指を利用して装着することから被測定指のみに挟み込み圧力が集中せず、圧迫感を軽減することができるので、被験者の装着負担が軽減される。従って、長時間装着が必要となるパラメータの測定を行う生体情報測定装置に好適である。さらに、センサ部と装置本体部とが事実上一体化されているので装着作業を簡素化でき、被験者自身が簡単に装着することができるという利点もある。
【００２３】
請求項２に係る発明によれば、生体情報測定装置を被験者の指先に、比較的浅い装着深度で装着できるので、被測定指を曲げる自由度が大きい状態で当該生体情報測定装置を装着することが可能であることから、被験者の装着ストレスを一層軽減することができる。さらに、例えば光電脈波を計測する場合においては、Ｓ／Ｎ比の良い測定を行うことができる。
【００２４】
請求項３に係る発明によれば、簡単なクリッピング動作により、被験者の指先等に生体情報測定装置を装着することができるので、生体情報測定装置の取り扱い性を良好なものとすることができる。
【００２５】
請求項４に係る発明によれば、隣接する二本の指を利用するので、生体情報測定装置の小型化、装置構成の簡素化を図ることができる。
【００２６】
請求項５に係る発明によれば、第１の固定部及び第２の固定部に跨る比較的広い搭載面に装置本体部を搭載できることから、コンパクト化を図りつつ、センサ部と装置本体部とを一体化することが容易となる。
【００２７】
請求項６に係る発明によれば、第１の固定部及び第２の固定部を必要に応じて脱着することができ、生体情報測定装置の取り扱い自由度が向上する。
【００２８】
請求項７に係る発明によれば、センサ部と装置本体部とを電気的に接続するケーブル類が不要となるので、被験者の睡眠中に測定を行うような生体情報測定装置の場合に、ケーブル類と蒲団との干渉による装置外れの問題を解消できる。
【００２９】
請求項８に係る発明によれば、第１の固定部と第２の固定部との連結構造が短尺ケーブルで代用されるので、連結構造を簡素化することができる。
【００３０】
請求項９に係る発明によれば、センサ部と被測定指との位置関係が安定し、装着負担が軽減化されたコンパクトな光電脈波計やパルスオキシメータ等を提供できるようになる。
【００３１】
請求項１０に係る発明によれば、当該生体情報測定装置の機能性が高められ、ユーザの利便性を向上させることができる。
【発明を実施するための最良の形態】
【００３２】
以下、図面に基づいて、本発明の実施形態につき説明する。
（第１実施形態）
図１は、本発明に係る生体情報測定装置の一例であるパルスオキシメータ１の外観構成を示す図であって、（ａ）はその正面図、（ｂ）は（ａ）図に示す矢印Ａ方向の側面図、（ｃ）は（ａ）図に示す矢印Ｂ方向の側面図をそれぞれ示している。
【００３３】
本実施形態に係るパルスオキシメータ１は、被験者の指先に装着され、当該指先から２波長光電脈波情報（生体情報）を取得して、被験者の血中酸素飽和度（ＳｐＯ２）を求めるように構成された生体情報測定装置である。図２は、当該パルスオキシメータ１を被験者の被測定指Ｆに装着した状態を示す平面図である。なお、１波長光電脈波情報を取得して脈拍数や脈波ピーク間隔等を求める光電脈波計でも、以下に説明する実施形態と実質的に同様な構成とすることができる。
【００３４】
このパルスオキシメータ１は、装置本体部２、固定部３、センサ部４を備えて構成されている。装置本体部２は、ＬＣＤ（Liquid Crystal Display）等からなる表示部２１と、各種の操作を行うための操作部２２とを備えている。表示部２１には、例えば図２に示すようにＳｐＯ２の測定値や、測定中であることを示す経過情報等、測定に関する所定の情報が表示される。操作部２２は、押下ボタン等からなり、装置本体部２に対して測定開始・終了操作、測定モード設定や機能選択等を行うためのものである。なお、ここでは簡略的に１つのボタンのみを表示しているが、実際は各種機能に応じて複数のボタン類が装備される。また、図３に基づき後述するが、装置本体部２には、センサ部４の動作制御を行うと共に、センサ部４から出力される測定信号に対して所定の処理を行う制御処理手段が備えられている。
【００３５】
固定部３は、被測定指Ｆ（例えば中指）と係合する第１の固定部３１と、被測定指Ｆ以外の他の指（例えば人差し指）と係合する第２の固定部３２とを備えている。第１の固定部３１は、図１（ｂ）に示すように、被測定指Ｆの指先背部に沿うような湾曲凹面部を有する上部支持片３１１と、同様に指先腹部に沿うような湾曲凹面部を有する下部支持片３１２とを備えている。また、同じく第２の固定部３２は、被測定指Ｆ以外の指の指先背部に沿うような湾曲凹面部を有する上部支持片３２１と、指先腹部に沿うような湾曲凹面部を有する下部支持片３２２とを備えている。
【００３６】
第１の固定部３１の上部支持片３１１と、第２の固定部３２の上部支持片３２１とは、共通の上部クリップ片３３の片面に所定間隔を置いて並置されている。また、第１の固定部３１の下部支持片３１２と、第２の固定部３２の下部支持片３２２とは、共通の下部クリップ片３４の片面に所定間隔を置いて並置されている。すなわち、第１の固定部３１及び第２の固定部３２は、共通の上部クリップ片３３及び下部クリップ片３４により一体化されている。
【００３７】
図１（ｃ）に示すように、上部クリップ片３３と下部クリップ片３４とは、ヒンジ３６により回動可能に連結されている。図示は省略しているが、ヒンジ３６の軸回りには付勢バネが備えられており、上部クリップ片３３と下部クリップ片３４とは、互いに接近する方向（閉止方向）に付勢されている。すなわち、所謂クリップ構造とされているものであって、これにより、第１の固定部３１の上部支持片３１１と下部支持片３１２との間、並びに第２の固定部３２の上部支持片３２１と下部支持片３２２との間において、指先を挟持する係止力が発生するようになっている。被測定指Ｆに当該パルスオキシメータ１を装着するときは、上部クリップ片３３及び下部クリップ片３４の後端部３３Ｅ、３４Ｅを摘んで上部クリップ片３３と下部クリップ片３４との間を拡開させ、被測定指Ｆ（第１の指）とこれに隣接する指（第２の指）とを挿入し、しかる後、後端部３３Ｅ、３４Ｅの摘みを解除して上部クリップ片３３と下部クリップ片３４との間を閉止させる手順が取られるものである。
【００３８】
上部クリップ片３３及び下部クリップ片３４の側面には、それぞれ側板３５１、３５２が取り付けられている。該側板３５１、３５２は、閉止方向に付勢された上部クリップ片３３と下部クリップ片３４との間隔を維持させる機能を果たすと共に、外光がセンサ部４へ届かないようにするための遮光板としても機能する。
【００３９】
上部クリップ片３３の上面側は、装置本体部２の搭載面３３Ｆとされている。すなわち、第１の固定部３１及び第２の固定部３２に跨る比較的広い搭載面３３Ｆが形成されている。ここでは、クリッピング動作を行う際に摘む後端部３３Ｅを残して、搭載面３３Ｆ上に装置本体部２が載置されている例を示している。かかる実施形態であれば、比較的広い搭載面３３Ｆに合致するサイズに装置本体部２の大きさを設定できるようになり、装置本体部２の多機能化を図り易くなるという利点がある。なお、本実施形態では長方形の表示部２１を装置本体部２に具備させた例を示しているが、この場合図２に示すように、被験者からの視認性を考慮して、表示部２１の長辺方向（文字、数字等が表示部２１において表示される方向）と指の延伸方向とが一致するように、装置本体部２を搭載面３３Ｆ上に搭載させることが望ましい。
【００４０】
センサ部４は、発光部４１と受光部４２とを備えている。発光部４１は、赤色領域における波長λ１の赤色光及び赤外線領域における波長λ２の赤外光を生体に対して交互に射出する光源であり、例えば、波長λ１の赤色光と波長λ２の赤外光とを発光する発光ダイオード（ＬＥＤ）により構成される光源である。また受光部４２は、受光した光強度に応じた電流を生成する光電変換素子であり、少なくとも前記波長λ１及び波長λ２に対して感度を有する光電変換素子である。この受光部４２には、例えばシリコンフォトダイオード（Silicon Photo Diode）が利用される。
【００４１】
このセンサ部４は、第１の固定部３１に組み付けられ、第１の固定部３１の被測定指Ｆへの係合により被測定指Ｆへ位置決め装着されるようになっている。すなわち、指先背部に発光部４１が、指先腹部に受光部４２が配置されるように（図１６（ａ）参照）、第１の固定部３１の上部支持片３１１に発光部４１が、また下部支持片３１２に受光部４２がそれぞれ組み付けられている。勿論、発光部４１と受光部４２とが、指先腹部に並置されるよう（図１６（ｂ）参照）、下部支持片３１２に発光部４１及び受光部４２が配置されるものであっても良い。
【００４２】
このようにセンサ部４は、第１の固定部３１の被測定指Ｆへの係合、つまり上部クリップ片３３及び下部クリップ片３４による被測定指Ｆを含む指先への係合により被測定指Ｆに対して位置決め装着される。ここで、第１の固定部３１に対して第２の固定部３２が連結（図１では一体化されている例を示している）されていることから、指先への係止力は被測定指Ｆ（中指）と他の指（人差し指）とで分担させることができる。
【００４３】
従って、被測定指Ｆに挟み込み圧力が集中しなくなり、圧迫感を軽減することができる。また、２本の指を利用して装着していることから、被測定指Ｆが第１の固定部３１内で回転しにくくなりセンサ部４と被測定指Ｆとの位置関係が安定する。さらに、１本の指に装着する場合に比べて、１本当たりの指先に負担される係止力は軽いもので済むことから指先に比較的浅い装着深度で装着でき、この結果被測定指Ｆを曲げる自由度が大きい状態で当該パルスオキシメータ１を装着することができるので、被験者の装着ストレスを一層軽減することができる。
【００４４】
装置本体部２は、第１の固定部３１及び第２の固定部３２に跨る搭載面３３Ｆに搭載されていることから、図２に例示するように中指及び人差し指の２本の指を利用して装着されることとなる。このように、センサ部４と装置本体部２とが事実上一体化されているので、装着作業を簡素化でき、被験者自身が簡単にパルスオキシメータ１をワンタッチで装着することができる。
【００４５】
続いて、パルスオキシメータ１の電気的構成について、図３のブロック図に基づいて説明する。このパルスオキシメータ１は、装置本体部２とセンサ部４とがリード線４０１で電気的に接続されてなる。装置本体部２には、前述の表示部２１、操作部２２のほか、発光回路２３、受光回路２４、制御処理部（ＣＰＵ）２５、メモリ部２６及び電源部２７が備えられている。またセンサ部４には、前述の通り発光部４１と受光部４２とが含まれるが、本実施形態では発光部４１として赤色領域の波長λ１の赤色光を発生する赤色ＬＥＤ４１Ａと、赤外線領域の波長λ２の赤外光を発生する赤外ＬＥＤ４１Ｂとの２つのＬＥＤが用いられている例を示している。
【００４６】
発光部４１及び受光部４２は、図３に示すように、血中酸素飽和度を測定する被測定指Ｆ（生体組織）の指先を挟むように対向配置される。これは、特に指先が、動脈血の脈動を光学的に捉えやすいからである。上述した通り、本実施形態では指先背部側（爪側）に発光部４１が配置され、指先腹部側に受光部４２が配置される。これにより、被測定指Ｆの指先の生体組織を透過した発光部４１の両波長λ１、λ２の測定光が、受光部４２にて受光されるようになる。これら発光部４１及び受光部４２には、それぞれ発光回路２３及び受光回路２４が接続されている。発光回路２３及び受光回路２４は装置本体部２に備えられており、発光部４１及び受光部４２との電気的接続は、リード線４０１により行われている。
【００４７】
前記発光回路２３は、制御処理部２５で動作制御され、所定の発光制御信号を発光部４１の赤色ＬＥＤ４１Ａ及び赤外ＬＥＤ４１Ｂに与える。これにより、例えば赤色ＬＥＤ４１Ａと赤外ＬＥＤ４１Ｂとが交互に駆動され（図３の発光制御信号参照）、赤色光と赤外光とが交互に射出される。また前記受光回路２４は、制御処理部２５により発光部４１の発光に同期して制御され、受光部４２から光強度に応じて出力される光電変換された電流信号（図３の受光信号参照）をＡ／Ｄ変換し、制御処理部２５にデジタル測定信号として出力する。
【００４８】
酸素は、血液中のヘモグロビンの酸化・還元によって運搬されている。このヘモグロビンは、酸化されると赤色光の吸収が減少して赤外光の吸収が増加し、逆に還元されると赤色光の吸収が増加して赤外光の吸収が減少するという光学的特性を有している。この特性を利用して、受光回路２４で検出された赤色光及び赤外光の透過光量の変動を計測することで、ＳｐＯ２（動脈血の血中酸素飽和度）の値を求めることが可能となる。なお、ＳｐＯ２の測定原理については、図４〜図８に基づいて後記で詳述する。
【００４９】
制御処理部２５は、所定の制御プログラム等を記憶するＲＯＭ、一時的にデータを格納するＲＡＭ及び制御プログラム等をＲＯＭから読み出して実行する中央演算処理装置（ＣＰＵ）やＤＳＰ（Digital Signal Processor）からなり、当該パルスオキシメータ１全体の動作制御を司るものである。制御処理部２５は、これらＲＡＭやＲＯＭに記憶されたデータやプログラムに基づいて、センサ部４の動作制御を行うと共に、取得された光電脈波データからＳｐＯ２値を算出する演算処理等を行う。
【００５０】
メモリ部２６は、演算処理や制御処理などのデータを一時的に格納するＥＥＰＲＯＭ（Electrically Erasable Programmable ROM）やフラッシュメモリ等の不揮発性メモリ等からなる。該メモリ部２６には、２波長光電脈波データ、或いは２波長光電脈波データに基づき制御処理部２５にて算出されるサンプリング周期毎の瞬時ＳｐＯ２値が時刻情報に関連付けて格納される。このように時刻情報に関連付けることで、事後的なデータ解析、若しくはＳｐＯ２値のライブ表示が容易に行えるようになる。
【００５１】
電源部２７は、所定の電源回路、ボタン電池等の電源電池等を備え、当該パルスオキシメータ１の各部へ駆動電圧を供給するものである。前記電源回路には、オートパワーオフ（ＡＰＯ）機能が備えられていることが望ましい。
【００５２】
ここで、光を用いて血中酸素飽和度（ＳｐＯ２）を測定する原理について説明する。周知の通り、酸素は、ヘモグロビン（Ｈｂ）によって生体の各細胞に運ばれるが、ヘモグロビンは、肺で酸素と結合して酸化ヘモグロビン（ＨｂＯ２）となり、生体の細胞で酸素が消費されるとヘモグロビンに戻る。ＳｐＯ２は、血中の酸化ヘモグロビンの割合を示すものであり、ヘモグロビン濃度をＣＨｂ、酸化ヘモグロビン濃度をＣＨｂＯ２で示すと、次の（１）式のように定義される。
【００５３】
【数１】
2007167184.tif 000003
【００５４】
一方、ヘモグロビンの吸光度及び酸化ヘモグロビンの吸光度は、波長依存性を有しており、各吸光係数α（λ）は、例えば図４に示すような吸光特性を有している。なお、図４の横軸は、ｎｍ単位で示す光の波長であり、縦軸は、×１０−９ｃｍ２／ｍｏｌｅ単位で示す吸光係数である。ヘモグロビン（Ｈｂ）及び酸化ヘモグロビン（ＨｂＯ２）は、図４に示すようにその吸光特性が異なる。ヘモグロビンは、赤色領域での赤色光Ｒにおいては、酸化ヘモグロビンよりも光を多く吸収するが、赤外線領域での赤外光ＩＲにおいては、酸化ヘモグロビンよりも光の吸収が少なくなっている。
【００５５】
すなわち、例えば、赤色光Ｒの波長λ１を酸化ヘモグロビンとヘモグロビンとの吸光係数の差が最も大きい例えば６６０ｎｍとし、赤外光ＩＲの波長λ２を酸化ヘモグロビンとヘモグロビンとの吸光係数の差が等しい例えば８１５ｎｍとした場合、赤色光Ｒの透過光量はヘモグロビンが多くなるのに従って大きくなり、一方、酸化ヘモグロビンとヘモグロビンとの比率が変わったとしても、赤外光ＩＲの透過光量は変わらないこととなる。これにより、赤色光Ｒと赤外光ＩＲとの透過光量の比をとることでＳｐＯ２を求めることが可能となる。パルスオキシメータ１（制御処理部２５）は、このようなヘモグロビン及び酸化ヘモグロビンの赤色光Ｒと赤外光ＩＲとに対する吸光特性の違いを利用してＳｐＯ２を求めるものである。
【００５６】
生体に光を照射すると、光の一部は吸収され、一部は透過する。生体は、動脈血層と、静脈血層と、動脈血層及び静脈血層以外の組織（血液以外の組織）とで構成される。この生体における光の吸収は、図５（ａ）に示すように、動脈血層による吸収と、静脈血層による吸収と、動脈血層及び静脈血層以外の組織による吸収とからなる。動脈血層及び静脈血層以外の組織と静脈血層とは経時的に変化しないため、この部分での光の吸収は略一定である。一方、動脈血は心拍動によって血管径が変化するため、動脈血層による光の吸収、すなわち透過光（図５（ａ）に示す透過光）の強度は、図５（ｂ）に示すように脈拍により経時的に変化する。この透過光強度の変化分は、動脈血のみの情報によるものであり、静脈血や、動脈血及び静脈血以外の生体組織による影響を殆ど含まない。なお、図５（ｂ）の横軸は時間、縦軸は透過光強度である。
【００５７】
ところで、赤色光Ｒと赤外光ＩＲとの光量変化を比較する場合、入射光量の差をキャンセル（補正）する必要がある。図６（ａ）〜（ｃ）は、生体に対する入射光と透過光との関係を示す模式図である。図６（ａ）に示すように、生体への入射光量Ｉ０を赤色光Ｒと赤外光ＩＲとで同じにすることは実質的に困難であり、仮に同じにしたとしても、組織や静脈血による吸光率は赤色光Ｒと赤外光ＩＲとで異なるため、変化分のみでの比較を行うことはできない。
【００５８】
ここで、動脈が最も細い場合（透過光量が最も大きい場合）の透過光量をＩとし、動脈が最も太い場合（透過光量が最も小さい場合）の透過光量をＩ−ΔＩとする（記号「−」は減算を示す）。これは図６（ａ）又は図６（ｂ）に示すように、厚さ（幅）ΔＤの動脈血にＩという光を照射したとき、Ｉ−ΔＩの透過光が得られると考えられる。なお、このΔＤの動脈血に応じた透過光量の変化の様子は、図６（ｃ）のグラフ（横軸は時間、縦軸は透過光量）に示される。
【００５９】
したがって、図７に示すように、符号５１のグラフに示す赤色光Ｒの透過光量ＩＲと、符号５２のグラフに示す赤外光ＩＲの透過光量ＩＩＲとが同じとなるように正規化する、つまり符号５３のグラフに示すように、透過光量ＩＩＲに対応する透過光量ＩＩＲ’＝透過光量ＩＲとなるように正規化することにより、動脈血による光量変化の比である（ΔＩＲ／ＩＲ）／（ΔＩＩＲ／ＩＩＲ）を求めてＳｐＯ２を算出することができる（記号「／」は除算を示す）。
【００６０】
ところで、入射光と透過光との関係はランバート・ビアの法則により、下記の（２）式で表すことができる。但し、下記（２）式において、Ｅは吸光物の吸光係数を表し、Ｃは吸光物の濃度を表す。
【００６１】
【数２】
2007167184.tif 000004
【００６２】
赤色光Ｒ及び赤外光ＩＲの２つの波長をそれぞれ上記（２）式に当てはめ（（２）式中のＩをＩＲ又はＩＩＲに置換する）、その比をとることによって下記の（３）式を得ることができる。但し、上記（３）式において、ＩＲは赤色光Ｒの透過光量を表し、ＩＩＲは赤外光ＩＲの透過光量を表し、ＥＲは赤色光Ｒの吸光係数を表し、ＥＩＲは赤外光ＩＲの吸光係数を表す。
【００６３】
【数３】
2007167184.tif 000005
【００６４】
図８は、吸光係数の比とＳｐＯ２との関係を示す図である。図８の横軸はＳｐＯ２であり、縦軸は吸光係数の比である。同図に示すように、例えば赤色光Ｒ及び赤外光ＩＲの波長をそれぞれ約６６０ｎｍ及び約８１５ｎｍとすると、吸光係数の比（ＥＲ／ＥＩＲ）とＳｐＯ２との関係は右肩下がりの直線で表される。このような関係に基づいて、吸光係数の比からＳｐＯ２を算出することができる。なお、ＳｐＯ２の算出方法としては、この方法に限らず、種々の方法が採用可能である。
【００６５】
（第２実施形態）
次に、本発明の第２実施形態につき説明する。先の実施形態１では、第１の固定部３１と第２の固定部３２とが一体化されている例を示したが、この第２実施形態では、図９〜図１３に示すように、第１の固定部３１Ａと第２の固定部３２Ａとが分離され、両者が所定の連結機構により連結されている態様のパルスオキシメータ１Ａの各種実施形態を例示する。なお、当該パルスオキシメータ１Ａの電気的構成、ＳｐＯ２の測定原理については実施形態１と同様であるので、ここでは説明を省略する。
【００６６】
図９は、分離型のパルスオキシメータ１Ａを示す平面図、図１０及び図１１は、第１の固定部３１Ａ及び第２の固定部３２Ａの正面図と側面図とをそれぞれ示す図、図１２はパルスオキシメータ１Ａの被測定指Ｆへの装着状態を示す掌側から見た斜視図である。このパルスオキシメータ１Ａは、固定部３Ａとして、センサ部４が組み付けられた第１の固定部３１Ａと、装置本体部２Ａが搭載される第２の固定部３２Ａとが、連結部６によりその側部同士で連結される構造を備えている。この連結部６は、着脱自在な連結部である。
【００６７】
図１０（ａ）、（ｂ）を参照して、第１の固定部３１Ａは、被測定指Ｆの指先背部に沿うような湾曲凹面部を有する上部支持片３１１Ａと、同様に指先腹部に沿うような湾曲凹面部を有する下部支持片３１２Ａとを備えている。また、上部支持片３１１Ａに発光部４１が、また下部支持片３１２Ａに受光部４２がそれぞれ組み付けられている。これら上部支持片３１１Ａ及び下部支持片３１２Ａは、一対の上部クリップ片３３１及び下部クリップ片３４１の内面側に、互いの湾曲凹面部が対向するように取り付けられている。
【００６８】
上部クリップ片３３１と下部クリップ片３４１とは、ヒンジ３６１により回動可能に連結されおり、図略の付勢バネにより、上部クリップ片３３１と下部クリップ片３４１とは、互いに接近する方向（閉止方向）に付勢されたクリップ構造とされている。また、上部クリップ片３３１及び下部クリップ片３４１の側面には、両者の間隔維持機能並びに遮光機能を果たす側板３５３、３５４がそれぞれ取り付けられている。被測定指Ｆに当該第１の固定部３１Ａを装着するときは、上部クリップ片３３１及び下部クリップ片３４１の後端部３３１Ｅ、３４１Ｅを摘んで上部クリップ片３３と下部クリップ片３４との間を拡開させ、被測定指Ｆを挿入し、しかる後、後端部３３１Ｅ、３４１Ｅの摘みを解除して上部クリップ片３３１と下部クリップ片３４１との間を閉止させる手順が取られる。
【００６９】
下部クリップ片３４１の外面側には図略の端子部が設けられており、前記端子部に第１コネクタ３７１が接続され、該第１コネクタ３７１からは接続ケーブル４０２が引き出されている。前記端子部には、センサ部４（発光部４１及び受光部４２）に対するリード線の端部が導かれている。接続ケーブル４０２は、かかるセンサ部４と、第２の固定部３２Ａに搭載されている装置本体部２Ａとを電気的に接続するためのケーブルである。
【００７０】
続いて、図１１（ａ）、（ｂ）を参照して、第２の固定部３２Ａは、被測定指Ｆに隣接する指の指先背部に沿うような湾曲凹面部を有する上部支持片３２１Ａと、同様に指先腹部に沿うような湾曲凹面部を有する下部支持片３２２Ａとを備えている。これら上部支持片３２１Ａ及び下部支持片３２２Ａは、一対の上部クリップ片３３２及び下部クリップ片３４２の内面側に、互いの湾曲凹面部が対向するように取り付けられている。そして、第１の固定部３１Ａと同様に、上部クリップ片３３２及び下部クリップ片３４２は、ヒンジ３６２にて結合されたクリップ構造とされている。また、上部クリップ片３３２及び下部クリップ片３４２の側面には、両者の間隔維持機能を果たす側板３５５、３５６がそれぞれ取り付けられている。かかる第２の固定部３２Ａは、同様に上部クリップ片３３２及び下部クリップ片３４２の後端部３３２Ｅ、３４２Ｅを摘むことで、被測定指Ｆに隣接する指の指先へ装着される。
【００７１】
上部クリップ片３３２の外面側には、装置本体部２Ａが搭載されている。この装置本体部２Ａは、先の第１実施形態における装置本体部２と同様に、表示部２１、操作部２２及び処理制御部等を備えている。また、下部クリップ片３４２の外面側には図略の端子部が設けられており、前記端子部に第２コネクタ３７２が接続され、該第２コネクタ３７２からは接続ケーブル４０２が引き出されている。前記端子部には、装置本体部２Ａに対するリード線の端部が導かれている。
【００７２】
図１２に示すように、第１の固定部３１Ａの側面には第１連結片６１が設けられ、これと対向するように第２の固定部３２Ａの側面には第２連結片６２が設けられている（図１０、図１１では、この第１連結片６１及び第２連結片６２の図示を省略している）。第１連結片６１及び第２連結片６２は、例えば互いに密嵌合可能な凸片と凹片、フック片とその受け部材等の機械的な連結機構、或いは磁石片等の磁力的な連結機構等を構成する部材からなる。このような第１連結片６１及び第２連結片６２が連結されることで、図９に示した連結部６が構成される。かかる連結部６は着脱自在なものであって、連結時においては第１の固定部３１Ａと第２の固定部３２Ａとを実質的に一体化するものである。
【００７３】
以上の通り構成された分離型のパルスオキシメータ１Ａによれば、第１の固定部３１Ａと第２の固定部３２Ａとを連結部６にて連結された状態では、第１実施形態の場合と同様に、指先に対する挟み込み力の軽減化、被測定指Ｆとセンサ部４との位置関係の安定化等を図ることができる。一方、非測定時等においては、連結部６による第１の固定部３１Ａと第２の固定部３２Ａとの連結状態を解除できるので、取り扱い自由度が向上する。また、センサ部４が組み付けられた第１の固定部３１Ａのみを新しいものと交換するといった運用を行うことも可能となる。
【００７４】
上記連結部６は、上記実施形態のように単に第１の固定部３１Ａと第２の固定部３２Ａとを連結させるものであっても良いが、これに電気的接続機能をも具備させることで、装置本体部２Ａとセンサ部４とを電気的に接続する接続ケーブル４０２の使用を省くようにすることができる。図１３及び図１４は、このような電気的接続機能を有する連結部の構成例を示す図である。
【００７５】
図１３は、第１の固定部３１Ａ及び第２の固定部３２Ａにそれぞれ嵌合型の電気コネクタ６３１、６３２（図１３では雄片のみを図示し、これらを受ける雌片は図示省略している）を設け、これら電気コネクタ６３１、６３２が互いに嵌合されることで、第１の固定部３１Ａと第２の固定部３２Ａとが一体的に連結されるように構成されたパルスオキシメータ１Ａを示している。すなわち、電気コネクタ６３１、６３２の嵌合により、第１の固定部３１Ａに組み付けられているセンサ部４（図１０等を参照）と装置本体部２Ａとが電気的に接続されると共に、第１の固定部３１Ａと第２の固定部３２Ａとが機械的に連結されるものである。
【００７６】
なお、図１３では、第１の固定部３１Ａと第２の固定部３２Ａとの結合力を高めるために、２つの電気コネクタ６３１、６３２を設ける例を示しているが、１つの電気コネクタのみを設ける構成としても良い。また、２つの電気コネクタ６３１、６３２のうちの１つを、電気接続を行わないダミーコネクタ（機械的な嵌合のみを行うコネクタ）としても良い。
【００７７】
また図１４は、第１の固定部３１Ａ及び第２の固定部３２Ａが、第１の固定部３１Ａに組み付けられたセンサ部４と、第２の固定部３２Ａに搭載された装置本体部２Ａとを、電気的に接続する２本の短尺ケーブル６４で連結されるように構成されたパルスオキシメータ１Ａを示している。この短尺ケーブル６４は、第１の固定部３１Ａと第２の固定部３２Ａとの側面同士を繋ぐケーブルであり、前記電気的な接続機能と第１の固定部３１Ａと第２の固定部３２Ａとの機械的な連結機能をも有している。
【００７８】
短尺ケーブル６４は、リジットなケーブルであっても良いが、若干の伸縮性を備えたものであることが望ましい。このような伸縮ケーブルを採用することで、被測定指Ｆの自由度が確保されるようになる。なお、短尺ケーブル６４は１本、或いは３本以上としても良い。
【００７９】
以上、本発明の各種実施形態につき説明したが、本発明はこれに限定されるものではなく、例えば下記［１］〜［４］の変形実施形態を取ることができる。
【００８０】
［１］上記実施形態では、２本の指先（中指と人差し指）にパルスオキシメータ１、１Ａを装着させる例を示したが、３本以上の指先を利用して装着させるようにしても良い。例えば、中指を第１の固定部が係合される被測定指Ｆとし、人差し指と薬指とを第２の固定部が係合される「他の指」とすることができる。勿論、人差し指を第１の固定部が係合される被測定指Ｆとし、中指と薬指とを第２の固定部が係合される「他の指」とすることもできる。
【００８１】
［２］上記実施形態では、指先にパルスオキシメータ１、１Ａを装着させる例を示したが、装着位置は必ずしも指先としなくとも良い。また、発光部及び受光部の配置位置につき、指先背部と指先腹部とに配置する例を示したが、指先の側部を挟むように発光部及び受光部を配置しても良い。
【００８２】
［３］上記実施形態では、２波長光電脈波データを取得して血中酸素飽和度を求めるパルスオキシメータを例示したが、そのうちの１波長光電脈波データを用いて脈拍等も計測・表示させるようにしても良い。さらに、発光部及び受光部に代えて電極等を配置し、電気的に脈波情報或いはその他の生体情報を取得するようにしても良い。
【００８３】
［４］パルスオキシメータ１、１Ａ（装置本体部２、２Ａ）に体位センサや加速度センサ等の他のセンサ類を搭載し、被験者の体位角度等を併せて計測できるようにすることが望ましい。
【図面の簡単な説明】
【００８４】
【図１】本発明に係る生体情報測定装置の一例であるパルスオキシメータ１の外観構成を示す図であって、（ａ）はその正面図、（ｂ）は（ａ）図に示す矢印Ａ方向の側面図、（ｃ）は（ａ）図に示す矢印Ｂ方向の側面図をそれぞれ示している。
【図２】パルスオキシメータ１を被験者の被測定指Ｆに装着した状態を示す平面図である。
【図３】パルスオキシメータ１の電気的構成を示すブロック図である。
【図４】ヘモグロビン及び酸化ヘモグロビンの吸光特性を示すグラフである。
【図５】生体による光の吸収状態を模式的に示す説明図である。
【図６】生体に入射する入射光と透過光との関係を模式的に示す説明図である。
【図７】赤外光による透過光量の正規化を説明するための説明図である。
【図８】吸光係数の比とＳｐＯ２との関係を示すグラフである。
【図９】本発明の第２実施形態に係る分離型のパルスオキシメータ１Ａを示す平面図である。
【図１０】第１の固定部３１Ａを示し、（ａ）は正面図、（ｂ）は側面図をそれぞれ示している。
【図１１】第２の固定部３２Ａを示し、（ａ）は正面図、（ｂ）は側面図をそれぞれ示している。
【図１２】パルスオキシメータ１Ａの被測定指Ｆへの装着状態を示す掌側から見た斜視図である。
【図１３】分離型のパルスオキシメータ１Ａの変形実施形態を示す平面図である。
【図１４】分離型のパルスオキシメータ１Ａの変形実施形態を示す平面図である。
【図１５】従来のプローブを示す斜視図である。
【図１６】パルスオキシメータにおける発光部と受光部の一般的な配置例を示す模式図である。
【符号の説明】
【００８５】
１、１Ａ  パルスオキシメータ（生体情報測定装置）
２、２Ａ  装置本体部
２１  表示部
２２  操作部
２３  発光回路
２４  受光回路
２５  制御処理部（制御処理手段）
２６  メモリ部
２７  電源部
３、３Ａ  固定部
３１、３１Ａ  第１の固定部
３２、３２Ａ  第２の固定部
３３Ｆ  搭載面
４  センサ部
４１  受光部
４２  発光部
６  連結部
６３１  電気コネクタ
６４  短尺ケーブル
Ｆ    被測定指
【図１】
2007167184.tif 000006
【図２】
2007167184.tif 000007
【図３】
2007167184.tif 000008
【図４】
2007167184.tif 000009
【図５】
2007167184.tif 000010
【図６】
2007167184.tif 000011
【図７】
2007167184.tif 000012
【図８】
2007167184.tif 000013
【図９】
2007167184.tif 000014
【図１０】
2007167184.tif 000015
【図１１】
2007167184.tif 000016
【図１２】
2007167184.tif 000017
【図１３】
2007167184.tif 000018
【図１４】
2007167184.tif 000019
【図１５】
2007167184.tif 000020
【図１６】
2007167184.tif 000021